(57)【特許請求の範囲】
【請求項１】
往復移動するキャリッジに搭載された記録手段から記録媒体へインクを吐出して記録を行うインクジェット記録装置において、
前記キャリッジの移動によってキャップを搭載したスライド部材をカムに沿って追従移動させることで、前記キャップにより前記記録手段の吐出口をキャッピングするための回復機構部を備え、
前記カム上の前記スライド部材のキャッピング位置と前記記録手段により記録媒体に画像を形成する記録領域との間に、前記記録手段から前記キャップ内にインクを吐出させるための第１の予備吐出位置と、前記記録手段と前記キャップとの距離が前記第１の予備吐出位置より小さく前記記録手段から前記キャップ内にインクを吐出させるための第２の予備吐出位置と、が設けられており、
前記インクジェット記録装置において吐出されたインク吐出量の累積値が閾値を越えるまでは、記録動作中及び記録待機中の予備吐出は前記第１の予備吐出位置で行わせ、前記回復機構部に前記記録手段の回復動作を行わせた後の予備吐出は前記第２の予備吐出位置で行わせ、前記インク吐出量の累積値が前記閾値を越えた場合は、前記記録動作中及び記録待機中の予備吐出、並びに前記回復機構部に前記記録手段の回復動作を行わせた後の予備吐出を前記第２の予備吐出位置で行わせることを特徴とするインクジェット記録装置。
【請求項２】
前記第１の予備吐出位置では前記キャリッジと前記スライド部材が当接せず、前記第２の予備吐出位置では前記キャリッジと前記スライド部材が当接することを特徴とする請求項１に記載のインクジェット記録装置。
【発明の詳細な説明】
【技術分野】
【０００１】
本発明は、記録手段から記録媒体へインクを吐出して記録を行うインクジェット記録装置に関する。
【背景技術】
【０００２】
記録手段としての記録ヘッドから記録用紙等の記録媒体へインクを吐出して記録を行うインクジェット記録装置においては、微細な吐出口からインクを吐出して記録を行うことから、吐出口近傍におけるインクの蒸発によるインクの増粘や固着、あるいは吐出口内のインク中の気泡発生などに起因する吐出不良が発生することがある。また、吐出口面を拭掃するワイピング動作や吐出口からインクを吸引する吸引動作によって、吐出口内に別色のインクが混入して記録画像にインク混色の弊害が発生することもある。そのため、上記吸引動作の後、あるいは記録動作中や記録待機中において、吐出口からインク受けに向けてインクを吐出する予備吐出を行い、インクと共に気泡や混色インク等を排出させることにより、吐出口内に新しいインクを注入したり、吐出不良や混色の発生を防ぐことが行われている。
【０００３】
インクジェット記録装置においては、通常、記録手段のインク吐出性能を回復維持するための回復機構部（メンテナンス部）が設けられている。記録媒体の搬送方向と交差する方向に往復移動するキャリッジに搭載された記録手段を用いて該記録媒体に記録を行うインクジェット記録装置の回復機構部として、キャリッジの移動を利用してキャップを搭載したスライド部材を記録装置本体に設けられたスライダカム部に沿って追従移動させることにより、キャップを記録手段に密着させてキャッピングを行うように構成されたものが知られている。このような構成の回復機構部は、キャッピングするための独自の駆動源を必要とせず、使用部品が少なく構成が簡易であり、低価格の記録装置を実現できるという利点がある。
【０００４】
すなわち、上記構成の回復機構部を備えたインクジェット記録装置においては、キャリッジが記録領域から回復機構部へと進入すると、キャリッジ側面部がスライド部材の突き当て部と当接することでキャリッジの進入方向へスライド部材が追従移動する。このとき、前記スライド部材は、記録装置本体に設けられたスライダカム部に沿って摺動移動することで、キャリッジと共に移動しながら上昇する。そして、スライド部材が前記スライダカム部の最上部に到達すると、該スライド部材に搭載されたキャップが記録手段の吐出口面に密着し、吐出口がキャッピングされる。
【０００５】
キャリッジが移動方向を反転させて記録領域へ向けて移動を開始すると、前記スライド部材は前記スライダカム部に沿って下降を始め、キャップが記録手段の吐出口面から離れ始める。スライド部材がスライダカム部の最下部の停止位置にくると、キャリッジがスライド部材の突き当て部から離間し、該キャリッジは前記スライド部材の停止位置を待機位置として待機状態に入る。そして、キャリッジがこの待機位置にあるときに、キャリッジの待機中の予備吐出、記録動作中の予備吐出、給紙動作中の予備吐出、吐出口面をワイピングした後の予備吐出など、必要な予備吐出が実行される。
【特許文献１】特開２０００−１３５７９４号公報
【発明の開示】
【発明が解決しようとする課題】
【０００６】
上記構成の回復機構部にあっては、記録手段の吐出口内のクリーニング（インクのリフレッシュ）を行うために必要な予備吐出の実行を、前記スライダカム部の最下部のキャリッジ待機位置で行っている。そのため、記録動作中に予備吐出を実行する際には、記録領域に最も近いことから動作時間を短縮することができ、また、キャリッジがスライド部材と当接しないことから、騒音の低減とキャリッジ負荷の軽減が可能になるという利点がある。
【０００７】
しかしながら、キャリッジに搭載された記録手段の吐出口面とスライダカム部の最下部に位置するスライド部材との間には、該スライダカム部の他の位置と比較して高さ方向の距離が大きいため、吐出されたがキャップ内（キャップ吸収体）へ滴下されなかったインクが霧状態（ミスト）になり、記録装置内に浮遊する。浮遊するインクは記録装置内の搬送機構の構成部品や給排紙機構のトレイなどに付着し、記録媒体へ転写されて汚損の原因になることがある。また、霧状になったインクは記録装置外へ散布されることもあり、記録装置を載せる机や周辺機器にインクが付着する可能性もある。
【０００８】
本発明はこのような技術的課題に鑑みてなされたものであり、本発明の目的は、予備吐出にかかる動作や時間の短縮を行い、ミストの影響を一層少なくすることができるインクジェット記録装置を提供することである。
【課題を解決するための手段】
【０００９】
本発明は、上記目的を達成するため、往復移動するキャリッジに搭載された記録手段から記録媒体へインクを吐出して記録を行うインクジェット記録装置において、前記キャリッジの移動によってキャップを搭載したスライド部材をカムに沿って追従移動させることで、前記キャップにより前記記録手段の吐出口をキャッピングするための回復機構部を備え、前記カム上の前記スライド部材のキャッピング位置と前記記録手段により記録媒体に画像を形成する記録領域との間に、前記記録手段から前記キャップ内にインクを吐出させるための第１の予備吐出位置と、前記記録手段と前記キャップとの距離が前記第１の予備吐出位置より小さく前記記録手段から前記キャップ内にインクを吐出させるための第２の予備吐出位置と、が設けられており、前記インクジェット記録装置において吐出されたインク吐出量の累積値が閾値を越えるまでは、記録動作中及び記録待機中の予備吐出は前記第１の予備吐出位置で行わせ、前記回復機構部に前記記録手段の回復動作を行わせた後の予備吐出は前記第２の予備吐出位置で行わせ、前記インク吐出量の累積値が前記閾値を越えた場合は、前記記録動作中及び記録待機中の予備吐出、並びに前記回復機構部に前記記録手段の回復動作を行わせた後の予備吐出を前記第２の予備吐出位置で行わせることを特徴とする。
【発明の効果】
【００１０】
本発明によれば、予備吐出の量や予備吐出実行のタイミング及び頻度を考慮して、記録手段とキャップとの高さ方向の距離並びにキャリッジ移動方向における記録領域からキャリッジまでの距離を適正化された予備吐出位置を選択することができ、予備吐出に要する時間を短縮するとともに、インクミストの影響を軽減することができるインクジェット記録装置が提供される。
【発明を実施するための最良の形態】
【００１１】
以下、図面を参照して本発明の実施形態を具体的に説明する。なお、各図面を通して同一符号は同一又は対応部分を示すものである。図１は本発明の一実施形態に係るインクジェット記録装置の模式的斜視図である。図１において、図示のインクジェット記録装置には、記録用紙等の記録媒体を装置本体内へ供給するための給紙部１０１と、装置本体内（記録部等）を通して記録媒体を紙送りするための搬送部１０２と、画像情報に基づいて記録媒体に画像を記録していく記録機構部（キャリッジ部）１０３と、記録機構部１０３によって形成される画像品位を維持回復するための回復機構部（メンテナンス部）１０４が設けられている。
【００１２】
給紙部１０１に積載された記録媒体は、給紙モータにより駆動される給紙ローラによって１枚ずつ分離されて、搬送部１０２へ送り込まれる。搬送部１０２へ送り込まれた記録媒体は、搬送モータによって駆動される搬送ローラ１２１及び該搬送ローラに押圧されて従動回転するピンチローラ１２２のニップ部による摩擦搬送力によって記録部を通して搬送され、その間に記録機構部１０３によって画像を記録される。記録された記録媒体は、搬送ローラ１２１と連動して駆動される排紙ローラ１２３及び該排紙ローラと協働する拍車によって装置本体外へ排出される。
【００１３】
記録機構部１０３は、装置本体内部で主走査方向に往復移動可能に案内支持されたキャリッジ６と該キャリッジに搭載された記録手段（記録ヘッド）５などによって構成されている。すなわち、記録手段５を搭載したキャリッジ６は装置本体に平行に設置されたガイドシャフト１２５及びガイドレール１２６に沿って往復移動可能に案内支持されている。キャリッジ６は、キャリッジモータ７０（図２）の駆動力をキャリッジベルト１２４を介して伝達されることで、ガイドシャフト１２５に沿って往復移動させられる。なお、ガイドシャフト１２５と平行に、キャリッジ６の移動及び位置を検出するためのエンコードストリップ１２７が配設されている。そこで、キャリッジ６の移動に同期して記録手段５を画像情報に基づいて駆動することで１ライン分の記録（主走査）を行い、次いでＬＦモータ６９で搬送ローラ１２１を所定量だけ駆動することにより記録媒体を所定ピッチだけ搬送（副走査）し、次のラインの記録を行う。以下、これを繰り返すことにより記録媒体全体の記録が行われる。
【００１４】
回復機構部１０４は、記録手段５の目詰まり等を解消することで記録品位を良好な状態に維持回復するためのものであり、吐出口からインクを吸引又は吐出させるためのポンプ手段、吐出口を覆うためのキャップ手段、並びに吐出口面を拭き取り清掃するためのワイピング手段などにより構成されている。本実施形態における記録手段５は、電気熱変換体により印加される熱エネルギーによってインク内に膜沸騰を生じさせ、その時に生じる気泡の成長、収縮による圧力変化を利用して吐出口よりインクを吐出させ、記録を行うものである。電気熱変換体は、吐出口列を形成する複数の吐出口のそれぞれに対応して配設されており、記録情報に応じて対応する電気熱変換体にパルス電圧を印加することによって対応する吐出口からインクが吐出される。
【００１５】
図２は図１のインクジェット記録装置の制御手段の概略構成を示すブロック図である。図２において、記録装置の制御手段としての制御基板６０は、インターフェース５１を介してコンピュータ等のホスト装置５０に接続されている。制御基板６０にはマイクロプロセッサ等から成る中央演算処理装置（ＣＰＵ）６１が設けられており、このＣＰＵ６１にはメインバス５５を介してＲＯＭ６２、ＲＡＭ６３、ヘッドドライバ６４及びモータドライバ６５、６６、６７、６８が接続されている。一方、記録装置には、ＣＲ（キャリッジ）エンコーダセンサ８１、ＬＦ（ラインフィード）エンコーダセンサ８２、ＰＥ（ペーパーエンド）センサ８３、ＰＧ（回復系）センサ８４及びＡＳＦ（自動給紙）センサ８５などの検知手段から成る検出部８０が設けられている。
【００１６】
ＲＯＭ６２には長期保存されるプログラムやデータ等の情報が記憶され、ＲＡＭ６３には書き込み可能なデータ等の情報が記憶される。そこで、検出部８０の各種のセンサ８１〜８５からの検知信号がメインバス５５から制御基板６０に入力されると、制御基板６０のＣＰＵ６１によってＲＯＭ６２及びＲＡＭ６３内の記憶情報に基づく演算処理が実行され、各種のドライバを介して対応する機構部の動作が実行される。すなわち、ヘッドドライバ６４を介して記録手段５が制御されることで記録動作が行われ、モータドライバ６５を介してＬＦモータ（搬送モータ）６９が制御されることで記録媒体の搬送が行われる。
【００１７】
また、ガイドシャフト１２５及びガイドレール１２６に案内支持されたキャリッジ６の主走査方向の移動停止は、モータドライバ６６を介してキャリッジモータ７０が制御されることで実行される。さらに、モータドライバ６７を介してＡＳＦモータ（給紙モータ）７１が制御されることで、給紙部１０１から記録部への記録媒体の給紙動作が行われ、モータドライバ６８を介してＰＧモータ７２が制御されることで回復機構部（メンテナンス部）１０４の各回復手段の回復動作が行われる。
【００１８】
図３は本実施形態に係るインクジェット記録装置の回復機構部１０４を斜め上方から見た模式的斜視図である。図３において、ゴム状弾性材の成形品から成るキャップ１を搭載（保持）したキャップホルダ２は、スライド部材３に対して４箇所の爪部２ｂ（不図示）により上限位置を抑えられて上下方向に移動可能に取り付けられ、キャップホルダ２とスライド部材３との間に配設されたキャップばね（不図示）により上向きに付勢されることで上下方向の位置決めをされるように装着されている。キャップ１の内部には、通常の場合、多孔質部材等から成るインク吸収性に優れたインク吸収体（キャップ吸収体）が装填されている。キャップ１の底面部には吸引ポンプ（不図示）に接続された吸引口（不図示）が形成され、キャップホルダ２の前記吸引口に対応する部位には吸引用のチューブ（不図示）が接続されており、該チューブの他端は負圧発生手段としての吸引ポンプに接続されている。従って、キャップ１で記録手段（記録ヘッド）５をキャッピングした状態で前記ポンプを駆動することにより、該チューブを通してキャップ１内を負圧状態にし、それによって、記録手段５の吐出口からインクを吸引できるように構成されている。このインク吸引によって、吐出口内のインクをリフレッシュさせてインク吐出性能の回復維持を図ることができる。
【００１９】
キャップホルダ２を保持するスライド部材３は、装置本体のベース部１４に対しスライダばね１５を介して連結（接続）されている。スライド部材３の前後面の左右の合計４箇所には、側方へ突出した棒状の突出部（スライダ軸部）３ｂが設けられており、これらの突出部３ｂは、それぞれ、ベース部１４上に設けられたスライダカム部１３のカム面（上面）に当接している。このスライダカム部１３は、回復機構部１０４の前面側  に設けられたスライダカム１３ａと後面側に設けられたスライダカム１３ｂで構成されている。つまり、スライド部材３は、スライダばね１５によって各突出部３ｂを下向きに付勢することで各突出部３ｂをスライダカム１３ａ、１３ｂのカム面に摺動可能に当接させた状態で、該スライダカム１３ａ、１３ｂに沿ってキャリッジ６の移動方向に移動可能に装着されている。
【００２０】
スライド部材３には、回復機構部（メンテナンス部）１０４へ進入（移動）してきたキャリッジ６が当接する突き当て部３ａが設けられている。つまり、キャリッジ６が回復機構部１０４へ移動してきて該キャリッジの側面が突き当て部３ａに当接すると、該キャリッジ６が該回復機構部１０４へ進入するのに追従してスライド部材３も同様に移動する。
【００２１】
進入してきたキャリッジ６によってスライド部材３がスライダカム部１３に沿って移動させられ、該スライド部材がカム部１３の最上部に到達したところでキャリッジ６を停止させることで、キャップ１が記録手段５の吐出口面に密着させられ、吐出口をキャッピングする状態になる。キャリッジ６がさらに進入すると、ベース部１４に設けられた突起部とキャップホルダ２の一部が当接することで該キャップホルダ２の記録媒体搬送方向下流側（装置本体前面側）の部位が下降する方向に傾くことになる。このキャップホルダ２の傾きにより、吐出口面を覆っているキャップ１の一部が吐出口面から離間し、キャップ１の内部が強制的に外気に連通される。また、スライド部材３の記録領域側の端部には記録手段５の吐出口面に付着したインクやほこり等を拭き取り除去するためのブレード状のゴム状弾性体から成るワイパー８、９が取り付けられている。
【００２２】
例えばキャッピング状態で前記吸引ポンプを駆動して吐出口からインクを吸引する吸引回復動作を行った後に、キャリッジ６をさらに進入させると、負圧状態にあったキャップ１の内部が一気に開放される。このように吐出口が負圧状態から一気に大気圧に戻されると、吐出口内に気泡や他色インクが押し込められる現象が生じる場合や、吐出口近傍に引き出されたインクが吐出口面に多量に付着する現象が生じる場合がある。そこで、これらの現象を解消すべくインクを吐き出すために、本実施形態では上記キャップ開放状態の位置にて予備吐出が実施される。この予備吐出は、吐出口からキャップ内へインクを吐出する動作であり、記録手段の回復処理の１つとして実行されるものである。なお、本発明は、記録領域（キャリッジの記録動作のための移動領域）から上記キャッピング位置までの間における予備吐出の位置に係るものではあるが、上記キャップ強制開放状態における予備吐出とは直接的に関係しないものである。
【００２３】
図４はスライド部材３がスライダカム部１３の最下部に停止し、キャリッジ６が該スライド部材の突き当て部３ａに当接することなく停止している待機状態を装置本体の前面側から見た模式的正面図であり、図５はキャリッジ６が回復機構部１０４に進入した後にスライド部材３を追従移動させながら、スライダカム部１３の途中（斜面部）で該スライド部材を停止させて予備吐出するときの状態を装置本体の前面側から見た模式的正面図であり、図６はキャリッジ６が回復機構部１０４に進入した後スライド部材３をスライダカム部１３の最上部まで追従移動させて記録手段５をキャッピングした状態を装置本体の前面側から見た模式的正面図である。
【００２４】
次に、図１〜図６を参照して、本発明を適用したインクジェット記録装置の特徴的な構成である予備吐出の制御手段について具体的に説明する。本実施形態では、スライダカム部１３において予備吐出を実行する位置を２箇所設け、予備吐出のインク吐出量あるいは実施のタイミングや頻度等に応じて、各位置における予備吐出を選択的に実施できるように構成されている。すなわち、予備吐出位置として、第１の予備吐出位置と第２の予備吐出位置が設けられている。なお、本実施形態では、スライダカム部１３はスライド部材３の前後の位置でキャリッジ６の移動方向に平行に形成された２本のスライダカム１３ａ、１３ｂで構成されている。
【００２５】
そこで、前記第１の予備吐出位置は、スライド部材３がスライダカム部１３の最下部に当接し、記録手段５とキャップ１との距離が比較的大きく、かつキャリッジ６がスライド部材３の突き当て部３ａと当接しない位置に選定されている。また、前記第２の予備吐出位置は、スライド部材３がスライダカム部１３の斜面途中に当接した状態でキャリッジ６を停止させることでスライド部材３の位置と姿勢を規制して予備吐出を実行する位置に選定されている。そして、記録手段５とキャップ１との間の高さ方向の距離は、前記第２の予備吐出位置における距離の方が前記第１の予備吐出位置における距離よりも小さくなるように設定されている。
【００２６】
記録手段５からキャップ等のインク受け部に対して記録を目的としないインクを吐出する動作（回復動作の一つ）である予備吐出は、記録手段５の吐出口内に他色インクが混入することで発生する混色や、インクの水分蒸発に起因するインク固着によって発生する吐出不良などを防ぐために、頻繁に行われることがある。例えば、回復機構部１０４のワイパー８、９による記録手段５のワイピング動作の後、記録装置のパワーオン・オフのとき、記録手段５に対する回復機構部１０４のキャップ１のキャップオープン・クローズのときなどに行われる予備吐出においては、インク吐出量が多いため、ほとんどの場合、予備吐出の後にキャリッジを待機位置に停止させた状態でキャップ内のインクを吸引する空吸引が行われる。
【００２７】
このようなインク吐出量が多い予備吐出は、図５に示すようにスライド部材３をスライダカム部１３（スライダカム１３ａ、１３ｂ）のカム面の斜面途中で停止させた第２の予備吐出位置で実行される。この第２の予備吐出位置では、キャップ１（キャップ内のインク吸収体）から記録手段５の吐出口面までの距離は、スライド部材３がスライダカム部１３の最下部に当接している第１の予備吐出位置より小さい。そのため、インクミストの発生量が減少し、インクミストの影響は軽減される。
【００２８】
これに対し、記録動作中あるいは記録待機中などにおける予備吐出は、インク吐出量が少なく、決められた時間間隔ごとに実行される。例えば数秒に１回の間隔で予備吐出が割り込み実施されることもあるため、記録動作中の予備吐出の場合は、予備吐出時間によって画像記録の時間が影響を受けることになる。従って、記録動作中の予備吐出においては、動作時間の短縮が優先され、図４に示すように、スライド部材３が記録領域に最も近い位置でスライダカム部１３の最下部に当接する第１の予備吐出位置で予備吐出が実行される。
【００２９】
また、この第１の予備吐出位置は、キャリッジ６の待機位置であり、待機中の予備吐出を行うための位置としても使用される。この第１の予備吐出位置で実行される予備吐出は、実行頻度は高いが、インク吐出量は少ない。また、第１の予備吐出位置は、インクミストによる弊害を防ぐための予備吐出を行うための位置ではあるが、さらに重要なことは、キャリッジ６がスライド部材３の突き当て部３ａに当接することで発生する騒音を無くしたり、キャリッジ６に生じる進入負荷を無くすための予備吐出を行うための位置である。
【００３０】
以上のように予備吐出の発数やタイミング等によって、記録手段５とキャップ１（キャップ内インク吸収体）との高さ方向の距離と、キャリッジ６の移動方向における記録領域からの距離と、を考慮して第１及び第２の予備吐出位置を最適化することで、予備吐出動作の短縮化や浮遊インクミストの発生を軽減化することができる。また、第２の予備吐出位置に関しては、スライダカム部１３（スライダカム１３ａ、１３ｂ）のカム面の途中斜面を利用して位置を決めるので、記録手段５からキャップ１までの高さ方向の距離を微調節することができる。それによって、記録手段５からキャップ１までの距離が短いために生じるインクの跳ね返りに起因するミスト発生を防止することができ、回復機構部１０４の近傍のインク付着を抑えることもできる。
【００３１】
また、実際に予備吐出を実行する際の予備吐出位置の数は、上述の実施形態のように２箇所に限定されるものではない。予備吐出の発数やタイミング等によっては、２箇所の予備吐出位置を選択するだけでなく、インク吐出量等の使用条件によって予備吐出位置を１箇所のみとする切り替えを行うように制御しても良い。例えば、記録装置本体に着荷時からの各色インクの吐出量をＲＯＭ６２記憶しておき、累積された吐出量の総量がある閾値を越えた場合に予備吐出位置を１箇所のみとするように切り替えても良い。この場合、吐出されたインク量が多量となり記録装置本体内部にインクミストによるインクの付着量が多くなる場合の所定の限界値を閾値とする。そして、この閾値を越えたときに、記録手段５とキャップ１との距離が異なる２箇所の予備吐出位置を、当該距離が小さい方の第２の予備吐出位置の１箇所のみとすることで、インクミストの抑制効果を高めることができる。
【００３２】
さらには、ホスト装置５０からインクジェット記録装置に送られてくる着荷時からの画像形成される際の記録媒体の種類、記録媒体の数、記録モードなどを該記録装置のＲＯＭ６２記憶しておき、その閾値によって予備吐出位置を第２の予備吐出位置の１箇所のみに切り替えを行うように制御しても良い。上記のような予備吐出の発数やタイミングなどによって２箇所の予備吐出位置を選択するだけでなく、ホスト装置から記録装置本体に送られてくる着荷時からの各色のインクの吐出量を記憶し、累積された吐出量の総量がある閾値を越えると、予備吐出位置を１箇所のみとする切り替えを行う。吐出されたインク量が多量となり記録装置本体内部にミストによるインクの付着が多くなる適当な数値を閾値とする。この閾値を越えた際、記録手段５とキャップ１との距離が異なる２箇所の予備吐出位置を、距離が小さい第２の予備吐出位置の１箇所のみとするように制御することで、ミストの抑制効果を得る。
【００３３】
同様に、記録装置本体に着荷時からの画像形成される際の記録媒体の種類、数、記録モードを記憶して、その閾値によって予備吐出位置を第２の予備吐出位置の１箇所のみに切り替える。インクを多く滴下する特殊紙への画像形成や高画質モードでの記録を数多く行っている場合、記録装置本体内に散布されるミストの量が多量となることから、第２の予備吐出位置の１箇所のみに予備吐出を行うことで、記録装置内にさらに発生するミストを抑える。
【００３４】
以上の実施形態では、スライド部材３がスライダカム部１３の最上部のキャッピング位置と記録手段５によって記録動作が行われる記録領域との間の２箇所に予備吐出位置を設ける場合を例示して説明したが、本発明は、これに限定されるものではなく、３箇所以上に予備吐出位置を設けるように構成しても良い。また、図１〜図６に示す実施形態においては、記録装置本体を正面から見たときの記録領域の右側に回復機構部１０４を配置したが、これは回復機構部を記録領域の左側に配置する構成としても良い。
【００３５】
なお、単色又は複数色で記録する１個の記録手段を用いるインクジェット記録装置、異なる色のインクで記録する複数の記録手段を用いるカラーインクジェット記録装置、あるいは同一色彩で異なる濃度で記録する複数の記録手段を用いる階調インクジェット記録装置、さらには、これらを組み合わせた記録装置の場合にも、同様に適用することができ、同様の効果を達成し得るものである。本発明は、記録手段とインクタンクを一体化した交換可能なインクカートリッジを用いる構成、記録手段とインクタンクを別体にし、その間をインク供給用チューブ等で接続する構成など、記録手段とインクタンクの配置構成がどのような場合にも同様に適用することができ、同様の効果が得られるものである。なお、本発明は、インクジェット記録装置に適用する場合、例えば、ピエゾ素子等の電気機械変換体等を用いる記録手段で記録する場合にも適用できる。
【図面の簡単な説明】
【００３６】
【図１】本発明の一実施形態に係るインクジェット記録装置の模式的斜視図である。
【図２】図１のインクジェット記録装置の制御手段の概略構成を示すブロック図である。
【図３】本実施形態に係るインクジェット記録装置の回復機構部を斜め上方から見た模式的斜視図である。
【図４】スライド部材がスライダカム部の最下部に停止し、キャリッジが該スライド部材の突き当て部に当接することなく停止している待機状態を装置本体の前面側から見た模式的正面図である。
【図５】キャリッジが回復機構部に進入した後にスライド部材を追従移動させながら、スライダカム部の途中（斜面部）で該スライド部材を停止させて予備吐出するときの状態を装置本体の前面側から見た模式的正面図である。
【図６】キャリッジが回復機構部に進入した後スライド部材をスライダカム部の最上部まで追従移動させて記録手段をキャッピングした状態を装置本体の前面側から見た模式的正面図である。
【符号の説明】
【００３７】
１        キャップ
２        キャップホルダ
２ｂ      爪部
３        スライド部材
３ａ      突き当て部
３ｂ      突出部（スライダ軸部）
５        記録手段（記録ヘッド）
６        キャリッジ
８        ワイパー
９        ワイパー
１３      スライダカム部
１３ａ    スライダカム
１３ｂ    スライダカム
１４      ベース部
１５      スライダばね
５０      ホスト装置
５５      メインバス（制御基板）
６０      制御手段（制御基板）
６１      ＣＰＵ
６２      ＲＯＭ
６３      ＲＡＭ
６４      ヘッドドライバ
６９      ＬＦモータ
７０      ＣＲ（キャリッジ）モータ
７１      ＡＳＦ（給紙）モータ
７２      ＰＧ（回復）モータ
８０      検出部
８１      ＣＲ（キャリッジ）エンコーダセンサ
８２      ＬＦ（ラインフィード）エンコーダセンサ
８３      ＰＥ（ペーパーエンド）センサ
８４      ＰＧ（回復）センサ
８５      ＡＳＦ（オートシートフィーダ）センサ
１０１    給紙部
１０２    搬送部
１０３    記録機構部（キャリッジ部）
１０４    回復機構部（メンテナンス部）
１２１    搬送ローラ
１２２    ピンチローラ
１２３    排紙ローラ
１２４    キャリッジベルト
１２５    ガイドシャフト
１２６    ガイドレール
１２７    エンコードストリップ
【図１】
0004695854.tif 000002
【図２】
0004695854.tif 000003
【図３】
0004695854.tif 000004
【図４】
0004695854.tif 000005
【図５】
0004695854.tif 000006
【図６】
0004695854.tif 000007